(57)【要約】【課題】視野角に関して良好な異方性を有するとともに、優れた視認性を有する透過型スクリーン及びそのような透過型スクリーンを備える表示装置を提供する。【解決手段】透過型スクリーン１６は、入射した光を異方的に拡散する異方性光拡散層３０と、異方性光拡散層３０よりも出光側に配置され、入射した光を等方的に拡散する等方性光拡散層３１と、着色材を含む着色層３２と、等方性光拡散層３１よりも出光側に配置される光制御層３３とを備える。光制御層３３は、複数の単位光透過部３７と、当該複数の単位光透過部３７間に配置される複数の単位光吸収部３８とを有する。このような構成を有する透過型スクリーン１６は、入光側から投射される映像光を出光側に透過させる。【選択図】図３
2017058471.tif 000002
【特許請求の範囲】
【請求項１】
入光側から投射される映像光を出光側に透過させる透過型スクリーンであって、
入射した光を異方的に拡散する異方性光拡散層と、
前記異方性光拡散層よりも前記出光側に配置され、入射した光を等方的に拡散する等方性光拡散層と、
着色材を含む着色層と、
前記等方性光拡散層よりも前記出光側に配置され、複数の単位光透過部と当該複数の単位光透過部間に配置される複数の単位光吸収部とを有する光制御層と、を備える透過型スクリーン。
【請求項２】
前記着色層は、前記異方性光拡散層と前記光制御層との間に配置される請求項１に記載の透過型スクリーン。
【請求項３】
前記着色層は、前記等方性光拡散層の前記入光側及び前記出光側のいずれか一方において前記等方性光拡散層と接触する請求項２に記載の透過型スクリーン。
【請求項４】
前記入光側から前記出光側に関する前記等方性光拡散層及び前記着色層の厚みの合計は５００μｍよりも小さい請求項３に記載の透過型スクリーン。
【請求項５】
前記着色層の厚みは、０．０６０ｍｍ以上０．５３５ｍｍ以下である請求項１〜３のいずれか一項に記載の透過型スクリーン。
【請求項６】
前記異方性光拡散層は複数の単位光拡散部を有し、当該複数の単位光拡散部の各々は前記複数の単位光吸収部の各々が延在する方向と非平行な方向に延在する請求項１〜５のいずれか一項に記載の透過型スクリーン。
【請求項７】
湾曲形状を持ち、曲面状のスクリーン面を有する請求項１〜６のいずれか一項に記載の透過型スクリーン。
【請求項８】
剛性層を更に備える請求項１〜７のいずれか一項に記載の透過型スクリーン。
【請求項９】
前記複数の単位光吸収部の各々及び前記複数の単位光透過部の各々は、前記透過型スクリーンの使用状態における左右方向に延在し、
前記複数の単位光吸収部及び前記複数の単位光透過部は、前記透過型スクリーンの使用状態における前記左右方向と垂直を成す上下方向に並んで配置される請求項１〜８のいずれか一項に記載の透過型スクリーン。
【請求項１０】
請求項１〜９のいずれか一項に記載の透過型スクリーンと、
前記透過型スクリーンの背面側に配置され、前記透過型スクリーンに映像光を投射する映像光源と、を備える表示装置。
【発明の詳細な説明】
【技術分野】
【０００１】
本発明は、着色層を有する透過型スクリーン及びそのような透過型スクリーンを備える表示装置に関する。
【背景技術】
【０００２】
映像光をスクリーンの背面側から投射して表示する背面投射型表示装置では、投射された映像光を透過して映像を表示させる透過型スクリーンが用いられる。
【０００３】
例えば特許文献１は、透過型スクリーンを備える表示装置を開示する。この透過型スクリーンは、複数の単位光吸収部及び複数の単位光透過部を有する電離放射線硬化型樹脂層と、当該電離放射線硬化型樹脂層よりも出光側に配置され拡散成分を含む中間層とを備える。
【先行技術文献】
【特許文献】
【０００４】
【特許文献１】特開２０１２−３２５１３号公報
【発明の概要】
【発明が解決しようとする課題】
【０００５】
透過型スクリーンは様々な分野に応用可能であり、例えば、光の透過や反射を抑える着色層（ティント層（Ｔｉｎｔ  ｌａｙｅｒ）とも呼ばれる）を有する車載用透過型スクリーンとして好適に利用可能である。
【０００６】
車載用透過型スクリーンは、フロントガラスへの映り込みを防止するために垂直方向の視野角が制限されている方が好ましく、一方で、運転席若しくは助手席からの視認性を確保するために水平方向の視野角が十分に広い方が好ましい。このように、車載用透過型スクリーンは視野角に関して異方性を有することが好ましい。
【０００７】
したがって、ある特定方向（例えば垂直方向）の視野角を適切に制限しつつ他の方向（例えば水平方向）の視野角については十分な大きさを確保する一方で、優れた視認性をもたらすことができる透過型スクリーンの提案が望まれている。特に、異方的な視野角を実現するために透過型スクリーンの層構造は複雑化する傾向があり、拡散、屈折及び反射等に関して様々な光学特性を持った要素が組み合わされて透過型スクリーンが構成される。そのため、透過型スクリーンに入射した光は複雑な経路を辿って透過型スクリーンから出射し、多重像（二重像）等の劣化映像が透過型スクリーンから出力されることがある。したがって多重像等の発生を有効に防いで、視認性に優れた映像を提供可能な透過型スクリーンの提案が望まれている。
【０００８】
本発明は上述の事情に鑑みてなされたものであり、視野角に関して良好な異方性を有するとともに優れた視認性を有する透過型スクリーン及びそのような透過型スクリーンに関連する技術を提供することを目的とする。
【課題を解決するための手段】
【０００９】
本発明の一態様は、入光側から投射される映像光を出光側に透過させる透過型スクリーンであって、入射した光を異方的に拡散する異方性光拡散層と、異方性光拡散層よりも出光側に配置され、入射した光を等方的に拡散する等方性光拡散層と、着色材を含む着色層と、等方性光拡散層よりも出光側に配置され、複数の単位光透過部と当該複数の単位光透過部間に配置される複数の単位光吸収部とを有する光制御層と、を備える透過型スクリーンに関する。
【００１０】
本発明によれば、ある特定方向の視野角を光制御層によって適切に制限しつつ、他の方向の視野角を異方性光拡散層及び等方性光拡散層によって適切に確保することができ、優れた視認性を有する透過型スクリーンを実現できる。
【００１１】
着色層は、異方性光拡散層と光制御層との間に配置されてもよい。
【００１２】
着色層は、等方性光拡散層の入光側及び出光側のいずれか一方において等方性光拡散層と接触してもよい。
【００１３】
本態様によれば、着色層及び等方性光拡散層の形成が容易であり、例えば二層押出成形方法によって着色層及び等方性光拡散層を精度良く簡便に形成することが可能である。
【００１４】
入光側から出光側に関する等方性光拡散層及び着色層の厚みの合計は５００μｍよりも小さくてもよい。
【００１５】
本態様によれば、観察像における多重像の発生を効果的に防げる。
【００１６】
着色層の厚みは、０．０６０ｍｍ以上０．５３５ｍｍ以下であってもよい。
【００１７】
本態様によれば、観察像における多重像の発生を効果的に防げる。
【００１８】
異方性光拡散層は複数の単位光拡散部を有し、当該複数の単位光拡散部の各々は複数の単位光吸収部の各々が延在する方向と非平行な方向に延在してもよい。
【００１９】
本態様によれば、異方性を持った視野角を精度良く実現できる。
【００２０】
透過型スクリーンは、湾曲形状を持ち、曲面状のスクリーン面を有してもよい。
【００２１】
本態様によれば、良好な意匠性を有する透過型スクリーンを実現できる。
【００２２】
透過型スクリーンは、剛性層を更に備えてもよい。
【００２３】
本態様によれば、剛性に優れた透過型スクリーンを実現できる。
【００２４】
複数の単位光吸収部の各々及び複数の単位光透過部の各々は、透過型スクリーンの使用状態における左右方向に延在し、複数の単位光吸収部及び複数の単位光透過部は、透過型スクリーンの使用状態における左右方向と垂直を成す上下方向に並んで配置されてもよい。
【００２５】
本態様によれば、透過型スクリーンの使用状態における上下方向に関する視野角を制限しつつ左右方向に関する視野角を広くした透過型スクリーンを実現できる。
【００２６】
本発明の他の態様は、上記の透過型スクリーンと、透過型スクリーンの背面側に配置され、透過型スクリーンに映像光を投射する映像光源と、を備える表示装置に関する。
【００２７】
表示装置は、映像光源からの映像光を反射して、透過型スクリーンに投射するミラー部を更に備えてもよい。
【００２８】
本態様によれば、映像光源及び透過型スクリーンの配置に関する自由度が高い。
【発明の効果】
【００２９】
本発明によれば、視野角に関して良好な異方性を有するとともに優れた視認性を有する着色層を備えた透過型スクリーン及びそのような透過型スクリーンを備える表示装置を提供できる。
【図面の簡単な説明】
【００３０】
【図１】図１は、表示装置を概略的に示す図であり、観察者と表示装置（映像光源及び透過型スクリーン）との配置関係例を示す図である。
【図２】図２は、映像光源及び透過型スクリーンを概略的に示す斜視図である。
【図３】図３は、第１実施形態に係る透過型スクリーンの層構成を示す部分斜視図である。
【図４】図４は、図３に示す透過型スクリーンから光制御層が取り除かれた透過型スクリーンの層構成を示す部分斜視図である。
【図５】図５は、第２実施形態に係る透過型スクリーンの層構成を示す部分斜視図であり、相対的に厚みの薄い着色層を備える透過型スクリーンを示す。
【図６】図６は、相対的に厚い着色層を備える透過型スクリーンの層構成を示す部分斜視図であり、図５に示す透過型スクリーンとほぼ同じ剛性を有する透過型スクリーンを示す。
【図７】図７は、図５の透過型スクリーンに投射された映像光の観察例を示す。
【図８】図８は、図６の透過型スクリーンに投影された映像光の観察例を示す。
【図９】図９は、等方性光拡散層、着色層及び光制御層の部分拡大断面を示し、多重像の発生メカニズムを説明するための概念図である。
【図１０】図１０は、光制御層の単位光吸収部の部分拡大断面を示し、（ａ）〜（ｃ）はそれぞれ単位光吸収部に関連する角度関係を説明するための図である。
【図１１】図１１は、等方性光拡散層、着色層及び光制御層の部分拡大断面を示し、実像光及びゴースト像光の間隔と着色層の厚みとの関係例を説明するための概念図である。
【図１２】図１２は、表示装置の一変形例を概略的に示す図である。
【図１３】図１３は、表示装置の他の変形例を概略的に示す図である。
【発明を実施するための形態】
【００３１】
以下、図面を参照して本発明の一実施の形態について説明する。
【００３２】
なお本件明細書に添付する図面では、図示及び理解を容易にするために便宜的に、各要素の縮尺及び寸法比等が、実物の縮尺及び寸法比等から誇張及び変更されている。また本明細書において、「層」、「板」、「シート」及び「フィルム」の用語は、呼称の違いのみに基づいて互いから区別されるものではない。例えば「層」という用語は、板、シート或いはフィルムと呼ばれうるような部材も含む概念である。また、「シート面（板面或いはフィルム面）」とは、対象となるシート状（板状或いはフィルム状）の部材を全体的且つ大局的に見た場合において対象となるシート状部材（板状部材或いはフィルム状部材）の平面方向と一致する面のことを指す。また、本明細書において用いられる形状、幾何学的条件、及びそれらの程度を特定する用語（例えば「平行」、「直交」及び「同一」等の用語や長さや角度の値等）は、厳密な意味に縛られず、実質的に同等及び同様の機能を期待しうる程度の範囲を意味しうるものとして解釈される。
【００３３】
図１は、表示装置１２を概略的に示す図であり、観察者１０と表示装置１２（映像光源１４及び透過型スクリーン１６）との配置関係例を示す図である。
【００３４】
本例の表示装置１２はいわゆる背面投射型表示装置として構成され、入光側から投射される映像光Ｌ１を出光側に透過させる透過型スクリーン１６と、透過型スクリーン１６の背面側（入光面１８側）に配置され、透過型スクリーン１６に映像光Ｌ１を投射するプロジェクタ等の映像光源１４とを備える。なお透過型スクリーン１６に関する「入光側」は映像光源１４の側であり、透過型スクリーン１６に関する「出光側」は観察者１０の側である。
【００３５】
なお、ここで言う映像光Ｌ１の具体的な態様は特に限定されず、映像光Ｌ１は、具体的な種類や内容を問わず、光全般を含みうる。典型的には特定の図柄や情報を表す光によって映像光Ｌ１が構成されうるが、他の任意の態様を有する光（例えば不規則な図柄を表す光や何らの特定情報も表さない光等）によって映像光Ｌ１が構成されてもよい。
【００３６】
本例の映像光源１４は、透過型スクリーン１６の入光面１８の全域に対し、照射領域が次第に広がっていく発散光束（拡大投影された光束）としての映像光Ｌ１を照射する。このような映像光源１４は特に限定されず、例えば陰極線管（ＣＲＴ：Ｃａｔｈｏｄｅ  Ｒａｙ  Ｔｕｂｅ）を用いた方式、液晶を用いた方式、或いはデジタルマイクロミラーデバイス（ＤＭＤ：Ｄｉｇｉｔａｌ  Ｍｉｃｒｏｍｉｒｒｏｒ  Ｄｅｖｉｃｅ）を用いた方式等の既知の光源を映像光源１４として使用できる。
【００３７】
透過型スクリーン１６は、入光側に位置する入光面１８及び出光側に位置する出光面２０を有し、映像光源１４から入光面１８に照射される映像光Ｌ１を透過して出光面２０から出光側（観察者１０側）に出射させる。観察者１０は、透過型スクリーン１６の出光面２０から出射する映像光Ｌ１を観察することにより、映像を視認できる。
【００３８】
図２は、映像光源１４及び透過型スクリーン１６を概略的に示す斜視図である。本例の透過型スクリーン１６は、入光面１８が全体として凸となり、出光面２０が全体として凹となるような湾曲形状を持ち、曲面状のスクリーン面（出光面２０）を有する。図２の例では、入光面１８及び出光面２０のそれぞれが三次元曲面を成すように透過型スクリーン１６は曲面状に湾曲している。ここで、三次元曲面を成す曲面状に湾曲しているとは、互いに対して傾斜した複数の軸をそれぞれ中心として、部分的又は全体的に曲がっていることを意味する。本例では、略矩形状の透過型スクリーン１６が、概ね、鉛直方向と平行で、透過型スクリーン１６の出光側に位置する第１の軸Ａ１を中心とした方向ｄ１に湾曲するとともに、水平方向と平行、且つ、透過型スクリーン１６の中央位置Ｐａにおける透過型スクリーン１６の接平面に平行で、透過型スクリーン１６の出光側に位置する第２の軸Ａ２を中心とした方向ｄ２に湾曲している。この結果、透過型スクリーン１６は全体として映像光源１４側へ凸を形成する三次元曲面を成すように湾曲し、入光面１８は透過型スクリーン１６の中央位置Ｐａにおいて映像光源１４側に最も突出した状態となる。なお本例の透過型スクリーン１６は、後述のように複数の層が積層された多層構造を有し、各層が三次元曲面を成すように湾曲する。
【００３９】
なお透過型スクリーン１６は、偏向光学板（図示省略）と、偏向光学板の出光側に配置される後述の積層板（図３参照）とを備えることができる。この場合、偏向光学板及び積層板に含まれる各層は、概ね同様の三次元曲面を成すように湾曲してもよい。なお、偏向光学板は設けられなくてもよく、この場合、映像光源１４からの映像光Ｌ１が積層板に直接入射する。したがって透過型スクリーン１６が偏向光学板及び積層板によって構成される場合、偏向光学板によって入光面１８が構成され、積層板（後述の実施形態では光制御層３３（図３参照）或いは剛性層３４（図５参照））によって出光面２０が構成される。また透過型スクリーン１６が偏向光学板を含まずに積層板のみを含む場合、積層板によって入光面１８及び出光面２０の両方が構成される。
【００４０】
偏向光学板は、例えば、入光側から出光側に向かって順に配置される入光側透明基材層及びフレネルレンズ層を有していてもよい。入光側透明基材層は、例えばアクリル樹脂、スチレン樹脂、ポリエステル樹脂、ポリカーボネート樹脂、或いはアクリル−スチレン共重合体樹脂等の透明樹脂からなる層であって、フレネルレンズ層の変形を防止しうるようにフレネルレンズ層を支持する支持基材として機能する。フレネルレンズ層は、フレネルレンズを形成する複数の単位レンズを有する。単位レンズによって構成されるフレネルレンズは、映像光源１４から発散光束として透過型スクリーン１６に投射される映像光Ｌ１の進行方向を偏向させる機能を有する。具体的には、フレネルレンズは、発散光束として入射した映像光を、入光側から出光側へ向けて進む平行光束に変換する。このようにフレネルレンズを用いて映像光をいったん平行光化することにより、観察者１０に観察される映像、とりわけ、観察者１０によって斜め方向から観察される映像の明るさの面内ばらつきを効果的に緩和できる。なお、このフレネルレンズは、サーキュラーフレネルレンズとして構成されてもよいし、リニアフレネルレンズとして構成されてもよい。
【００４１】
次に、透過型スクリーン１６（特に上述の積層板）の具体的な実施形態について説明する。
【００４２】
＜第１実施形態＞
図３は、第１実施形態に係る透過型スクリーン１６の層構成を示す部分斜視図である。図３において、紙面に向かって右側が入光側に対応し、左側が出光側に対応し、映像光源１４（図１及び図２参照）からの映像光Ｌ１は図３の右側から左側に向かって進行する（図３の矢印「Ｘ」参照）。また図３において、紙面に向かって上側及び下側を結ぶ方向（図３の矢印「Ｚ」参照）が「透過型スクリーン１６の想定される使用状態における上下方向」に対応し、紙面に向かって奥側及び手前側を結ぶ方向（図３の矢印「Ｙ」参照）が「透過型スクリーン１６の想定される使用状態における左右方向」に対応し、この「上下方向（図３の矢印「Ｚ」参照）」は「左右方向（図３の矢印「Ｙ」参照）」とは垂直を成す。なお理解を容易にするために、図３には平板状に描かれた透過型スクリーン１６の一部が示されているが、実際には上述のように本例の透過型スクリーン１６の各層は湾曲している。
【００４３】
本実施形態に係る透過型スクリーン１６は、入光側から出光側に向かって順次配置された異方性光拡散層３０、等方性光拡散層３１、着色層３２及び光制御層３３（ＬＡＦ：Ｌｏｕｖｅｒ  Ａｒｒａｙ  Ｆｉｌｍ）を有する。
【００４４】
異方性光拡散層３０は、映像光源１４（図１及び図２参照）から入射した光（映像光Ｌ１）を異方的に拡散する層であり、本例では、入射光を反射する複数の単位光拡散部４０を有する。複数の単位光拡散部４０の各々は、図３における紙面に向かって上下方向（図３の矢印「Ｚ」参照）に直線状に延在し、光制御層３３の後述の「複数の単位光吸収部３８」の各々が延在する方向と非平行な方向に延在する。本例の単位光拡散部４０は、入射光（映像光Ｌ１）を、主として透過型スクリーン１６の左右方向（図３の矢印「Ｙ」参照）へ異方的に拡散する。単位光拡散部４０による拡散方式は特に限定されず、例えば、単位光拡散部４０と単位光拡散部４０の周囲の部材との間の屈折率差に起因して、或いは、単位光拡散部４０自体が有する反射性に起因して、入射光を異方的に拡散可能である。
【００４５】
なお単位光拡散部４０を構成する部材や形状は、特に限定されない。各単位光拡散部４０は、例えば光吸収材等を含有した電離放射線硬化型樹脂によって構成可能であり、透過型スクリーン１６の左右方向（図３の矢印「Ｙ」参照）及び入光側から出光側に向かう方向（図３の矢印「Ｘ」参照）に沿った断面において楔形（例えば三角形状又は台形形状）を有しうる。図３に示す各単位光拡散部４０は、透過型スクリーン１６の左右方向（図３の矢印「Ｙ」参照）及び入光側から出光側に向かう方向（図３の矢印「Ｘ」参照）に沿った断面において、透過型スクリーン１６の左右方向（図３の矢印「Ｙ」参照）のサイズが入光側から出光側に向かって徐々に大きくなるように構成されている。
【００４６】
等方性光拡散層３１は、異方性光拡散層３０よりも出光側に配置され、入射した光（映像光Ｌ１）を等方的に拡散する。等方性光拡散層３１の構成は特に限定されないが、典型的には、等方性光拡散層３１は、透明樹脂から成るベース部と、ベース部中に分散された拡散成分とを含み、ベース部と拡散成分との間の屈折率差に起因して、或いは、拡散成分自体が有する反射性に起因して、入射光を等方的に拡散する。
【００４７】
このような等方性光拡散層３１は、一例として、分散状態の多数の粒子状拡散成分を含有する熱可塑性樹脂を、押出成形によって板状に成形することによって、作製可能である。ベース部を構成する透明樹脂として、例えば、メチルメタクリレートブタジエンスチレン共重合体（ＭＢＳ）、アクリル樹脂、或いはポリカーボネート樹脂等を用いることができる。また粒子状拡散成分としては、例えば硫酸バリウム微粒子、ガラス微粒子、水酸化アルミニウム微粒子、炭酸カルシウム微粒子、シリカ（二酸化珪素）微粒子、酸化チタン微粒子等の無機系微粒子や、メラミンビーズ、アクリルビーズ、アクリル−スチレンビーズ、ポリカーボネートビーズ、ポリエチレンビーズ、ポリスチレンビーズ、塩ビビーズ、或いはシリコーン系ビーズ等の有機系微粒子を使用することができるが、透明性の観点からは有機系微粒子を使用することが好ましい。或いは、拡散成分は気泡であってもよい。拡散成分の径は、特に限定されるものではないが、通常、１〜１５μｍ程度の径を有する拡散成分が等方性光拡散層３１において用いられる。
【００４８】
着色層３２は、異方性光拡散層３０と光制御層３３との間（本実施形態では等方性光拡散層３１と光制御層３３との間）に配置され、等方性光拡散層３１の入光側及び出光側のいずれか一方（本実施形態では出光側）において等方性光拡散層３１と接触する。
【００４９】
この着色層３２は、典型的には透明樹脂及び着色材を含む樹脂組成物から構成される。着色層３２が含有する着色材は、光を吸収するものであれば特に限定されず、例えば、黒色染料、黒色顔料、或いはカーボンブラック等を着色層３２の着色材として好適に使用できるが、着色材の色は特に限定されない。また着色層３２が含有する透明樹脂は、特に限定されず、例えば、メチルメタクリレートブタジエンスチレン共重合体（ＭＢＳ）、アクリル樹脂、メタクリレート−スチレン系樹脂、アクリレート−スチレン系樹脂、ポリプロピレン樹脂、ポリエチレンテレフタレート樹脂、ポリ塩化ビニル樹脂、或いはポリカーボネート樹脂等を着色層３２の透明樹脂として好適に使用できる。これらの中でも、屈折率が比較的高い透明樹脂、例えば屈折率が１．５５〜１．６０程度の透明樹脂が着色層３２の透明樹脂として好ましく、例えばポリカーボネート樹脂（屈折率ｎ＝１．６０）等を着色層３２の透明樹脂として好ましく使用できる。
【００５０】
入光側から出光側（図３の矢印「Ｘ」参照）に関する等方性光拡散層３１及び着色層３２の厚みは、後述のように映像光Ｌ１の観察像における多重像（二重像）を防いで鮮明な観察像を得る観点からは、可能な限り小さいことが好ましい。すなわち、光制御層３３を出光側（出光面２０側）に配置する場合に光拡散層（特に等方性光拡散層３１）と光制御層３３との間の距離が大きいと多重像が発生しやすいため、等方性光拡散層３１及び着色層３２の厚みの合計を小さくすることが好ましい。
【００５１】
本件発明者は、後述の図５〜図８に示すように、等方性光拡散層３１及び着色層３２が二層押出成形方法によって形成された透過型スクリーン１６であって、着色層３２の膜厚（図３の矢印「Ｘ」方向のサイズ）が変えられた複数種類の透過型スクリーン１６を作製し、各透過型スクリーン１６を介して提供される観察像の評価を行った。この評価において、着色層３２が厚く等方性光拡散層３１と光制御層３３との間の距離が大きい程、観察像において多重像（二重像）が目立ち、着色層３２が薄く等方性光拡散層３１と光制御層３３との間の距離が小さい程、観察像において多重像が目立たなくなり視認性に優れる映像が提供されることが確認された。例えば、等方性光拡散層３１及び着色層３２の厚みの合計が５００μｍよりも小さい場合には多重像を有効に防げることを、本件発明者は実験によって確認した。
【００５２】
光制御層３３は、等方性光拡散層３１及び着色層３２よりも出光側に配置されており、透明なシート状の基部３６と、基部３６上に設けられ光透過性を有する複数の単位光透過部３７と、基部３６上に設けられ光吸収性を有する複数の単位光吸収部３８とを有する。単位光透過部３７及び単位光吸収部３８は基部３６上で交互に配置され、複数の単位光吸収部３８はそれぞれ複数の単位光透過部３７の間に配置される。すなわち、複数の単位光吸収部３８の各々及び複数の単位光透過部３７の各々は、透過型スクリーン１６の使用状態における左右方向（図３の矢印「Ｙ」参照）へ直線状に延在し、複数の単位光吸収部３８及び複数の単位光透過部３７は、透過型スクリーン１６の使用状態における上下方向（図３の矢印「Ｚ」参照）に並んで配置される。
【００５３】
したがって本実施形態では、「光制御層３３の各単位光吸収部３８が延在する方向」及び「光制御層３３の各単位光透過部３７が延在する方向」は、互いに平行であり、「複数の単位光吸収部３８及び複数の単位光透過部３７が並ぶ方向（配列方向）」とは直交する。また「光制御層３３の各単位光吸収部３８及び各単位光透過部３７が延在する方向」と「異方性光拡散層３０の各単位光拡散部４０が延在する方向」とは、互いに非平行であり、相互に直交する。
【００５４】
本実施形態の各単位光透過部３７は、図３に示すように、その配列方向（図３の矢印「Ｚ」参照）と光制御層３３の厚み方向（図３の矢印「Ｘ」参照）との両方に沿った断面において台形状（いわゆる等脚台形状）の断面形状を有し、その長手方向（図３の矢印「Ｙ」参照）に沿って一定の断面形状を有する。したがって各単位光透過部３７のその台形状断面の下底が出光側に位置し、下底よりも短い上底が入光側に位置するように、各単位光透過部３７が配置される。
【００５５】
単位光透過部３７は、一例として、基部３６の一部分を構成する基材シート上に電離放射線硬化型樹脂を形成することによって作製可能である。電離放射線硬化型樹脂としては、電子線或いは紫外線等の電離放射線が照射されることで硬化するエポキシアクリレート等の樹脂が挙げられる。このような単位光透過部３７を含む光制御層３３の製造方法として、例えば、国際公開第２００６／０９０７８４号に開示された方法を用いることができる。
【００５６】
一方、各単位光吸収部３８は、配列方向（図３の矢印「Ｚ」参照）に沿って隣り合う二つの単位光透過部３７の間の領域に形成され、二つの単位光透過部３７に隣接し、その配列方向（図３の矢印「Ｚ」参照）及び厚み方向（図３の矢印「Ｘ」参照）の両方向に沿った断面において楔形（例えば三角形状又は台形形状）を有しうる。すなわち図３に示す例において各単位光吸収部３８は、透過型スクリーン１６の上下方向（図３の矢印「Ｚ」参照）及び光制御層３３の厚み方向（図３の矢印「Ｘ」参照）に沿った断面において、透過型スクリーン１６の上下方向（図３の矢印「Ｚ」参照）のサイズが入光側から出光側に向かって徐々に小さくなるように構成されている。
【００５７】
本実施形態の各単位光吸収部３８は、図３に示すように、その配列方向（図３の矢印「Ｚ」参照）と光制御層３３の厚み方向（図３の矢印「Ｘ」参照）との両方に沿った断面において台形状（いわゆる等脚台形状）の断面形状を有し、その長手方向（図３の矢印「Ｙ」参照）に沿って一定の断面形状を有する。したがって各単位光吸収部３８の台形状断面の下底が入光側に位置し、下底よりも短い上底が出光側に位置するように、各単位光吸収部３８が配置される。このような形状を有する各単位光吸収部３８に向かって着色層３２から進行する光（映像光Ｌ１）は、単位光吸収部３８によって反射されるか吸収される。特に各単位光吸収部３８は、透過型スクリーン１６の使用状態における左右方向（図３の矢印「Ｙ」参照）に直線状に延在しているため、上下方向（図３の矢印「Ｚ」参照）への光の進行可能範囲を制限する一方で、透過型スクリーン１６の左右方向（図３の矢印「Ｙ」参照）への光の進行可能範囲を制限しない。そのため複数の単位光吸収部３８は、透過型スクリーン１６の使用状態における上下方向（図３の矢印「Ｚ」参照）に関する視野角を制限しつつ、他の方向（図３の矢印「Ｙ」参照）に関する視野角を制限しない機能を有する。
【００５８】
単位光吸収部３８は、一例として、光吸収材等を含有する電離放射線硬化型樹脂を基材シート上に形成された複数の単位光透過部３７上に塗布し、スキージ等の手段によって複数の単位光透過部３７間にその電離放射線硬化型樹脂を充填し、その後、電離放射線を照射してその電離放射線硬化型樹脂を硬化させることによって作製可能である。なお、光吸収材等を含有した電離放射線硬化型樹脂自体は、透明樹脂とすることが可能である。このような単位光吸収部３８の基部３６上への作製方法としては、例えば、国際公開第２００６／０９０７８４号に開示された方法を用いることができる。
【００５９】
単位光吸収部３８を構成する「光吸収材等を含有する電離放射線硬化型樹脂」は、単位光透過部３７を構成する透明樹脂の屈折率より小さい屈折率を有する樹脂材料であることが好ましい。この場合、単位光透過部３７中を進行して単位光透過部３７と単位光吸収部３８との界面に入射した映像光Ｌ１が、この界面において反射されやすくなる。単位光吸収部３８を構成する電離放射線硬化型樹脂として用いられる樹脂材料は特に限定されないが、例えば、電子線又は紫外線等の電離放射線により硬化するウレタンアクリレート系或いはエポキシアクリレート系等のアクリレート系樹脂が用いられうる。また光吸収材としては、例えば、カーボンブラック、グラファイト、黒色酸化鉄等の金属塩、顔料、染料、及び顔料又は染料で着色された樹脂粒子等が挙げられる。
【００６０】
図４は、図３に示す透過型スクリーン１６から光制御層３３が取り除かれた透過型スクリーン１６の層構成を示す部分斜視図である。図４における透過型スクリーン１６の方向関係は、図３に示す透過型スクリーン１６の方向関係と同様である（図４の矢印「Ｘ」、「Ｙ」及び「Ｚ」参照）。また理解を容易にするために、図４には平板状の透過型スクリーン１６の一部が示されているが、実際には上述のように透過型スクリーン１６の各層は湾曲している。
【００６１】
上述のように図３に示す透過型スクリーン１６では、光制御層３３（単位光透過部３７及び単位光吸収部３８）によって上下方向（図３の矢印「Ｚ」参照）への光の進行が制限される。したがって、光制御層３３を持たない図４の透過型スクリーン１６に比べ、光制御層３３を持つ図３の透過型スクリーン１６は、上下方向（図３の矢印「Ｚ」参照）の視野角を制限した状態で映像光Ｌ１を出射することができる。
【００６２】
なお透過型スクリーン１６の左右方向（図３の矢印「Ｙ」参照）に関しては、異方性光拡散層３０及び等方性光拡散層３１によって映像光Ｌ１が拡散される一方で、光制御層３３によって映像光Ｌ１の進行は阻害されない。そのため図３の透過型スクリーン１６は、上下方向（図３の矢印「Ｚ」参照）に関しては視野角が制限される一方で、左右方向（図３の矢印「Ｙ」参照）に関しては広範な視野角を実現することができ、視認性に優れた映像を観察者１０に提供できる。
【００６３】
したがって図３に示す透過型スクリーン１６を車載用透過型スクリーンに応用することで、垂直方向（上述の上下方向（図３の矢印「Ｚ」参照））の視野角を制限してフロントガラスへの映り込みを有効に防ぎつつ、水平方向（上述の左右方向（図３の矢印「Ｙ」参照））における広範な視野角を確保して運転席若しくは助手席からの良好な視認性を実現することができる。
【００６４】
＜第２実施形態＞
図５は、第２実施形態に係る透過型スクリーン１６の層構成を示す部分斜視図であり、相対的に厚みの薄い着色層３２を備える透過型スクリーン１６を示す。図６は、相対的に厚い着色層３２を備える透過型スクリーン１６の層構成を示す部分斜視図であり、図５に示す透過型スクリーン１６とほぼ同じ剛性を有する透過型スクリーン１６を示す。
【００６５】
図５に示す透過型スクリーン１６では、等方性光拡散層３１及び着色層３２の厚みの合計（とりわけ着色層３２の厚み）が相対的に小さくなるように等方性光拡散層３１及び着色層３２が形成される一方で、光制御層３３の出光側に透明な剛性層３４が設けられている。一方、図６に示す透過型スクリーン１６では、剛性層３４が設けられず、着色層３２の厚みを大きくすることで、剛性層３４を備える図５の透過型スクリーン１６と同等の剛性が実現されている。なお、図５に示す剛性層３４は光制御層３３の出光側に設けられているが、剛性層３４の配置位置は特に限定されず、透過型スクリーン１６の任意の位置に剛性層３４を配置可能である。
【００６６】
着色層３２の厚みの変更は任意の手法によって行うことができる。例えば二層押出成形方法によって等方性光拡散層３１及び着色層３２を成形する場合、押出成形機のスクリュー回転数を調整して着色層３２を構成する材料の吐出量を変えることで、所望の厚さを有する着色層３２を形成できる。
【００６７】
本件発明者は、図５に示す透過型スクリーン１６及び図６に示す透過型スクリーン１６の各々のサンプルを作製した。これらのサンプルにおいて、着色層３２は二層押出成形方法によって最適化され、光制御層３３はワイピング成形により形成されている。さらに、支持体となる透明ポリカーボネート板にフレネルレンズを紫外線硬化型接着樹脂によって貼り合わせ偏向光学板が作製され、当該偏向光学板が積層板（異方性光拡散層３０、等方性光拡散層３１、着色層３２、光制御層３３及び剛性層３４）に貼り合わされたものを、図５の透過型スクリーン１６のサンプル及び図６の透過型スクリーン１６のサンプルとした。なお、図５の透過型スクリーン１６のサンプルにおける着色層３２の厚みは２５０μｍ（マイクロメータ）であり、図６の透過型スクリーン１６のサンプルにおける着色層３２の厚みは１．３ｍｍ（ミリメータ）であった。
【００６８】
そして本件発明者は、これらの図５の透過型スクリーン１６のサンプル及び図６の透過型スクリーン１６のサンプルを使って、映像光源１４から透過型スクリーン１６に投射されて透過型スクリーン１６から出射される映像光Ｌ１を視覚によって観察した。
【００６９】
図７は、図５の透過型スクリーン１６に投射された映像光Ｌ１の観察例を示す。図８は、図６の透過型スクリーン１６に投影された映像光Ｌ１の観察例を示す。図７（ａ）〜（ｂ）と図８（ａ）〜（ｂ）との比較からも明らかなように、図５の透過型スクリーン１６の方が図６の透過型スクリーン１６よりも優れた視認性を示す。本件発明者は、図７（ｂ）及び図８（ｂ）に示す観察像の一部領域（図７（ｂ）及び図８（ｂ）の符号「Ｒ」で示す領域）の像ズレ量ｄを確認した。図５の透過型スクリーン１６によって得られる観察像（図７（ｂ）参照）では、像ズレ量ｄの理論値が０．１５ｍｍであるところ、実際の計測では像ズレ量ｄは視認できない程度であった。一方、図６の透過型スクリーン１６によって得られる観察像（図８（ｂ）参照）では、像ズレ量ｄの理論値が０．７〜０．８ｍｍであるところ、実際の計測された像ズレ量ｄは０．８ｍｍであった。
【００７０】
このように、薄肉の着色層３２を形成して等方性光拡散層３１と光制御層３３との間隔を狭くすることで、多重像の発生を効果的に防いで、視認性に優れた観察像を提供することができる。以下、多重像の発生メカニズムについて説明する。
【００７１】
＜多重像の発生メカニズム＞
図９は、等方性光拡散層３１、着色層３２及び光制御層３３の部分拡大断面を示し、多重像の発生メカニズムを説明するための概念図である。
【００７２】
透過型スクリーン１６に入射した映像光Ｌ１は、上述のように等方性光拡散層３１において拡散されて様々な方向に進行し、着色層３２及び光制御層３３を通過して透過型スクリーン１６から出射する。したがって映像光Ｌ１は、等方性光拡散層３１で拡散されて「実像光Ｒｉ（図９に示す例では「透過型スクリーン１６の厚み方向（矢印「Ｘ」参照）と平行に進み、単位光吸収部３８を介さずに単位光透過部３７を通過する矢印」によって表示）」及び「ゴースト像光Ｇｉ（図９に示す例では「透過型スクリーン１６の厚み方向（矢印「Ｘ」参照）と非平行に進み、単位光吸収部３８に反射されて単位光透過部３７を通過する矢印」によって表示）」に分かれて透過型スクリーン１６から出射する。
【００７３】
観察者１０は、これらの実像光Ｒｉ及びゴースト像光Ｇｉを同時に視認するため、実像光Ｒｉ及びゴースト像光Ｇｉのズレ量が大きいほど、観察像において多重像をはっきりと知覚する。実像光Ｒｉ及びゴースト像光Ｇｉのズレ量は、等方性光拡散層３１と光制御層３３との間の距離によって左右される。したがって等方性光拡散層３１と光制御層３３との間に着色層３２が配置される場合には、着色層３２の厚み方向（図９の矢印「Ｘ」参照）のサイズが大きい程、はっきりとした多重像が観察者１０によって観察される傾向があり、着色層３２の厚み方向のサイズが小さい程、観察者１０は多重像を視認しにくくなって映像の視認性は向上する。そのため多重像の発生を防いで良好な視認性を実現するには、等方性光拡散層３１と光制御層３３との間の間隔（上述の実施形態では着色層３２の厚み）を可能な限り小さくすることが好ましい。
【００７４】
以上説明したように、上述の実施形態に係る透過型スクリーン１６は、光制御層３３を設けて、等方性光拡散層３１と光制御層３３との間の距離を小さくすることで、異方性を持った視野角を精度良く実現しつつ、多重像の発生を有効に防いで視認性に優れた映像を観察者１０に提供できる。
【００７５】
＜具体例＞
図１０は、光制御層３３の単位光吸収部３８の部分拡大断面を示し、（ａ）〜（ｃ）はそれぞれ単位光吸収部３８に関連する角度関係を説明するための図である。
【００７６】
各単位光吸収部３８の断面形状（図９の矢印「Ｘ」及び矢印「Ｚ」の両方に沿った断面の形状）が図１０（ａ）に示すように線対称な等脚台形状を有する場合、単位光吸収部３８の「脚部３８ｃ」が「上底部３８ａ及び下底部３８ｂに垂直な基準線（入光面１８から出光面２０に向かう線（図９の矢印Ｘに沿った線）；図１０（ａ）の点線参照）」に対して成す角度（テーパー角度）を符号「θ１」で表す。この場合、各単位光吸収部３８の上底部３８ａの長さを「ａ」で表し、下底部３８ｂの長さを「ｂ」で表し、高さ（上底部３８ａと下底部３８ｂとの間の距離）を「ｈ」で表すと、下記の関係式が成立する。
【００７７】
＜関係式１＞
ｔａｎ（θ１）＝（ｂ−ａ）／２／ｈ
【００７８】
一方、図１０（ｂ）に示すように、単位光吸収部３８に向かって進行する映像光Ｌ１のうち、単位光吸収部３８の脚部３８ｃにおいて全反射する映像光Ｌ１が単位光吸収部３８の脚部３８ｃに対して成す角度（特に、単位光吸収部３８に対する入射角が最も小さい場合の角度）θ２は、以下の関係式によって表される。なお、以下の関係式における「臨界角」は、スネルの法則から、界面を構成する単位光透過部３７の屈折率ｎ１及び単位光吸収部３８の屈折率ｎ２に基づいて「臨界角＝ａｒｃｓｉｎ（ｎ２／ｎ１）」によって表される。
【００７９】
＜関係式２＞
θ２＝９０°−臨界角＝９０°−ａｒｃｓｉｎ（ｎ２／ｎ１）
【００８０】
そして、図１０（ｃ）に示すように、単位光透過部３７中を単位光吸収部３８（光制御層３３）に向かって進行する映像光Ｌ１（ただし単位光吸収部３８に入射する前の映像光Ｌ１）が「上底部３８ａ及び下底部３８ｂに垂直な基準線（入光面１８から出光面２０に向かう線；図１０（ｃ）の点線参照）」に対して成す角度θ３は、以下の関係式によって表される。
【００８１】
＜関係式３＞
θ３＝θ１＋θ２
【００８２】
図１１は、等方性光拡散層３１、着色層３２及び光制御層３３の部分拡大断面を示し、実像光Ｒｉ及びゴースト像光Ｇｉの間隔Δｄと着色層３２の厚みＴとの関係例を説明するための概念図である。
【００８３】
図１１からも明らかなように、「実像光Ｒｉとゴースト像光Ｇｉとの間隔Δｄ」及び「着色層３２の厚みＴ」の関係は、映像光Ｌ１が基準線に対して成す角度θ３に基づいて、以下の関係式によって表される。
【００８４】
＜関係式４＞
ｔａｎ（θ３）＝Δｄ／Ｔ
Ｔ＝Δｄ／ｔａｎ（θ３）
Δｄ＝Ｔ×ｔａｎ（θ３）
【００８５】
したがって、例えば、各単位光吸収部３８の上底部３８ａの長さａを「ａ＝３．５μｍ」とし、下底部３８ｂの長さｂを「ｂ＝２２μｍ」とし、高さｈを「ｈ＝１１８μｍ」とした場合、上記の関係式１から「ｔａｎ（θ１）＝（２２μｍ−３．５μｍ）／２／１１８μｍ」が成立し、当該関係式から「θ１≒４．５°」が導き出される。一方、単位光透過部３７の屈折率ｎ１を「ｎ１＝１．５５」とし、単位光吸収部３８の屈折率ｎ２を「ｎ２＝１．４９」とした場合、上記の関係式２から「θ２＝９０°−ａｒｃｓｉｎ（１．４９／１．５５）≒１６．０°」が導き出される。したがって上記の関係式３から、「θ３＝４．５°＋１６．０°＝２０．５°」が導き出される。したがって、図１１の符号「θ４」は「θ４＝９０°−θ３＝６９．５°」となる。
【００８６】
このように導き出された映像光Ｌ１の基準線に対する角度θ３（＝２０．５°）に基づいて、上述のように「着色層３２の厚みを２５０μｍとした図５の透過型スクリーン１６のサンプル」及び「着色層３２の厚みを１．３ｍｍとした図６の透過型スクリーン１６のサンプル」について考察した。すなわち、着色層３２の厚みＴが相対的に大きい図６の透過型スクリーン１６のサンプルにおいて「Ｔ＝１３００μｍ＝１．３ｍｍ」の場合、「実像光Ｒｉとゴースト像光Ｇｉとの間隔Δｄ」は、上記の関係式４から「Δｄ＝１．３ｍｍ×ｔａｎ（２０．５°）≒０．４８６ｍｍ」となる。一方、着色層３２の厚みＴが相対的に小さい図５の透過型スクリーン１６のサンプルにおいて「Ｔ＝２５０μｍ＝０．２５ｍｍ」の場合、「実像光Ｒｉとゴースト像光Ｇｉとの間隔Δｄ」は、上記の関係式４から「Δｄ＝０．２５ｍｍ×ｔａｎ（２０．５°）≒０．０９ｍｍ」となる。
【００８７】
このようにして求められる「実像光Ｒｉとゴースト像光Ｇｉとの間隔Δｄ」は、上述の図８（ｂ）の例に示される多重像の像ズレ量ｄを決めるファクターである。上述の関係式１〜４からも明らかなように、着色層３２の厚みＴが大きくなると（例えばＴ＝１．３ｍｍ）、「実像光Ｒｉとゴースト像光Ｇｉとの間隔Δｄ」も大きくなって（例えばΔｄ＝０．４８６ｍｍ）、観察者１０は多重像を視認しやすくなる。一方、着色層３２の厚みＴが小さくなると（例えばＴ＝０．２５ｍｍ）、「実像光Ｒｉとゴースト像光Ｇｉとの間隔Δｄ」も小さくなり（例えばΔｄ＝０．０９ｍｍ）、観察者１０は多重像を視認しにくくなる。
【００８８】
なお、通常は「実像光Ｒｉとゴースト像光Ｇｉとの間隔Δｄ」が０．２ｍｍ程度になると、観察者１０によって多重像が視認され始める傾向がある。また単位光吸収部３８の上底部３８ａの長さａ、下底部３８ｂの長さｂ及び高さｈに関して、通常用いられる範囲のサイズを考慮すると、上記の関係式１から導き出されるθ１は一般に「４．４８２°以上４．４９８°以下」となる。また通常使用される単位光透過部３７の屈折率ｎ１及び単位光吸収部３８の屈折率ｎ２を考慮すると、上記の関係式２から導き出されるθ２は一般に「１６°以上１９．４°以下」となる。したがって、上記の関係式３から導き出されるθ３は一般に「２０．５°以上２３．９°以下」となる。したがって、多重像が視認され始める上述の「実像光Ｒｉとゴースト像光Ｇｉとの間隔Δｄ＝０．２ｍｍ」と、映像光Ｌ１が基準線に対して成す角度θ３の一般的な大きさ（すなわち２０．５°以上２３．９°以下）を考慮すると、上記の関係式４から着色層３２の厚みＴは０．４５１ｍｍ以上０．５３５ｍｍ以下が好ましいことが分かる。なお、押出成形機の加工能力を更に加味して着色層３２が作られてもよく、例えば、押出成形機の加工能力を考慮すると着色層３２の厚みＴを０．０６ｍｍにすることも可能であるため、着色層３２の厚みＴは０．０６０ｍｍ以上０．５３５ｍｍとしてもよい。
【００８９】
＜透過型スクリーン１６の製造方法＞
上述の透過型スクリーン１６は、任意の方法に基づいて製造可能である。例えば偏向光学板及び積層板を含む透過型スクリーン１６の場合、まず積層板（上述の図３及び図５参照）が用意され、その後、偏向光学板を構成する各種の要素が積層板上（上述の実施形態では異方性光拡散層３０上）に形成されることで、透過型スクリーン１６を製造することができる。なお、湾曲した透過型スクリーン１６を製造する場合には、湾曲した積層板を予め用意しておき、その湾曲した積層板上に偏向光学板を形成することが好ましい。
【００９０】
＜変形例＞
本発明は、上述の実施形態に限定されず、上述の実施形態に各種の変形が加えられてもよいし、上述の実施形態及び変形例の一部構成が相互に組み合わされてもよい。
【００９１】
例えば上述の実施形態では、着色層３２が等方性光拡散層３１と光制御層３３との間に配置されているが、着色層３２の配置位置はこの位置に限定されない。例えば「等方性光拡散層３１と異方性光拡散層３０との間」、「光制御層３３よりも出光側」或いは「異方性光拡散層３０よりも入光側」に着色層３２が配置されてもよい。
【００９２】
また、図１及び２には映像光Ｌ１が映像光源１４から透過型スクリーン１６（入光面１８）に対して直接的に照射される例が示されているが、これに限定されない。図１２は、表示装置１２の一変形例を概略的に示す図である。図１２に示す表示装置１２は、上述の映像光源１４及び透過型スクリーン１６に加えてミラー部２３を更に備え、ミラー部２３は、映像光源１４からの映像光Ｌ１を反射して透過型スクリーン１６に投射する。
【００９３】
このように映像光源１４から出射された映像光Ｌ１は、ミラー部２３、プリズム部或いはレンズ等の光学素子を介して透過型スクリーン１６に照射されてもよい。映像光源１４と透過型スクリーン１６との間に、例えばミラー部２３やプリズム部等を介在させることで映像光Ｌ１の光路を調整することができ、またレンズ等を介在させることで映像が拡大又は縮小された映像光Ｌ１を透過型スクリーン１６に照射することができる。また、これらの複数種類の光学素子を映像光源１４と透過型スクリーン１６との間に配置し、映像の拡大又は縮小が行われて光路が変更された後の映像光Ｌ１が透過型スクリーン１６（入光面１８）に照射されてもよい。
【００９４】
また図１及び図２には、入光面１８が全体として凸となり、出光面２０が全体として凹となるように湾曲する透過型スクリーン１６を例示したが、透過型スクリーン１６の形状はこれに限定されない。図１３は、表示装置１２の他の変形例を概略的に示す図である。透過型スクリーン１６は、図１３に示すように、入光面１８が全体として凹となり、出光面２０が全体として凸となるように湾曲してもよい。また、透過型スクリーン１６は平板状に形成されてもよく、入光面１８及び出光面２０の各々が全体として平面であってもよい。
【００９５】
また上述の実施形態では、異方性光拡散層３０が楔形の単位光拡散部４０を有する層によって構成されているが、異方性光拡散層３０は、異方的に光（映像光Ｌ１）を拡散することができるのであれば、他の構成であってもよい。例えば、レンチキュラーレンズ等の光学素子によって異方性光拡散層３０が構成されてもよい。厳密には、図５に示すような「複数の単位光拡散部４０を有する異方性光拡散層３０」も反射型（全反射型）のレンチキュラーレンズとみなすことが可能であるが、他の構成を有するレンチキュラーレンズによっても異方性光拡散層３０を構成可能である。例えば、特開２００４−２８７１１９号公報に開示されているレンチキュラーレンズを、異方性光拡散層３０として利用可能である。
【００９６】
また透過型スクリーン１６は、上述の偏向光学板及び積層板（異方性光拡散層３０、等方性光拡散層３１、着色層３２、光制御層３３及び剛性層３４）以外の部材を具備してもよく、特定の機能を発揮することを期待された他の機能層が設けられてもよい。その場合、単一の機能層が２以上の機能を発揮してもよく、上述の異方性光拡散層３０、等方性光拡散層３１、着色層３２、光制御層３３及び剛性層３４のうちの少なくとも１つの要素に他の機能を付与してもよい。透過型スクリーン１６に付与されうる機能は特に限定されないが、一例として、耐擦傷性を発揮するハードコート（ＨＣ：Ｈａｒｄ  Ｃｏａｔｉｎｇ）機能、防汚機能、防眩（ＡＧ：Ａｎｔｉ−Ｇｌａｒｅ）機能及び反射防止（ＡＲ：Ａｎｔｉ−Ｒｅｆｌｅｃｔｉｏｎ）機能等が挙げられる。
【００９７】
本発明の実施態様は、上述した個々の実施形態に限定されるものではなく、当業者が想到しうる種々の変形も含むものであり、本発明の効果も上述した内容に限定されない。すなわち、特許請求の範囲に規定された内容及びその均等物から導き出される本発明の概念的な思想と趣旨を逸脱しない範囲で種々の追加、変更及び部分的削除が可能である。
【符号の説明】
【００９８】
１０  観察者
１２  表示装置
１４  映像光源
１６  透過型スクリーン
１８  入光面
２０  出光面
２３  ミラー部
３０  異方性光拡散層
３１  等方性光拡散層
３２  着色層
３３  光制御層
３４  剛性層
３６  基部
３７  単位光透過部
３８  単位光吸収部
４０  単位光拡散部
Ｌ１  映像光
Ｒｉ  実像光
Ｇｉ  ゴースト像光
【図１】
2017058471.tif 000003
【図２】
2017058471.tif 000004
【図３】
2017058471.tif 000005
【図４】
2017058471.tif 000006
【図５】
2017058471.tif 000007
【図６】
2017058471.tif 000008
【図９】
2017058471.tif 000009
【図１０】
2017058471.tif 000010
【図１１】
2017058471.tif 000011
【図１２】
2017058471.tif 000012
【図１３】
2017058471.tif 000013
【図７】
2017058471.tif 000014
【図８】
2017058471.tif 000015